(57)【特許請求の範囲】
【請求項１】
内部をカードが搬送されるカード搬送路と、前記搬送路に沿って配設され前記搬送路内のカードを搬送する搬送ローラと、前記搬送路内の前記カードにデータを記録及び／又は前記搬送路内の前記カードに記録されたデータを再生するデータ記録再生手段と、前記カードに印字データを記録する印字手段と、前記カードに記録された印字データを消去する画像消去手段と、前記搬送路に連設されカード内部のＩＣに対し情報の記録及び／又は再生を行うＩＣリーダユニットを備えたカードリーダであって、前記ＩＣリーダユニットは、カードが挿入されるカード挿入溝と、前記カードによる押圧を受け、逆方向に作用する弾性力に逆らいつつ前記カード挿入溝に沿った方向に移動し、前記弾性力の作用のもと記録及び／又は再生のため所定位置で一旦停止すると共に、その後前記弾性力によって元に戻るスライダと、前記スライダに回動自在に配設され、カード表面で前記ＩＣの電極端子と接触して情報の記録及び／又は再生を行うＩＣ接触部と、前記スライダの移動に伴い前記スライダのピンと昇降ガイドによって前記ＩＣ接触部を回動し、前記カード表面に近づけるＩＣ接触部移動機構と、前記スライダに設けられた突起部と当接し前記スライダの動きを規制するカムを備え、前記カムには、前記スライダを前記カード挿入溝に沿った方向に移動させるための側面と、該スライダを記録及び／又は再生のため所定位置で一旦停止させるための凹溝部が設けられたことを特徴とするカードリーダ。
【請求項２】
請求項１記載のカードリーダにおいて、スライダに回動自在に配設され、カード表面でＩＣの電極端子と接触して情報の記録及び／又は再生を行うＩＣ接触部を備えるのに代えて、前記スライダに回動自在に配設されると共に、コイル状のアンテナを搭載し、該アンテナと前記カード内のアンテナとの間で無線により情報の記録及び／又は再生を行うＩＣ接触部を備えたことを特徴とするカードリーダ。
【発明の詳細な説明】
【０００１】
【発明の属する技術分野】
本発明は、カードに、データの記録及び／又は再生を行うカードリーダに関するものである。
【０００２】
【従来の技術】
近年、会員カード、ＩＤカード、クレジットカード、キャッシュカード、ＩＣカード、プリペイドカード等のカードの一部に磁気記録が可能な磁気記録層や加熱処理により印字データを印字／消去が可能なロイコ染料系の感熱記録層等を備えると共に、カード内部にＩＣチップを内設し外部からのデジタル又はアナログ信号によりＩＣチップ内に情報を記録／消去が可能なカードが普及しつつあり、このようなカードに対し情報を記録し又はカードから情報を再生するカードリーダが求められている。
【０００３】
以下に従来のカードリーダについて、図面を用いて説明する。
【０００４】
図５は磁気記録層又は感熱記録層を具備するカードに対し情報の記録及び再生を行う従来のカードリーダの要部側面図である。
【０００５】
図５において、４０はカードリーダ、４１はカードリーダ４０のフレーム、４２はフレーム４１内に形成された搬送路、４２ａは搬送路４２の側壁をなし搬送路４２内を搬送されるカードをガイドするガイダー、４３は搬送路４２に連通しカード挿入口４３の前側面に形設されたカード挿入口、４４ａ，４４ｂ，４４ｃはフレーム４１内の搬送路４２下部に回転自在に軸支された搬送ローラ、４５ａ，４５ｂ，４５ｃはフレーム４１内の搬送路４２上部に搬送ローラ４４ａ，４４ｂ，４４ｃに対向して回転自在に軸支された従動ローラ、４６はギアやベルト等の回転動力伝達手段を介して搬送ローラ４４ａ，４４ｂ，４４ｃを回転駆動する駆動モータ、４７は搬送路４２の下部に配設され搬送路４２内を搬送されるカードに磁気的にデータを記録及び再生をする磁気ヘッド、４７ａは磁気ヘッド４７上方に配設され搬送路４２内を搬送されるカードを磁気ヘッド４７に押圧する押圧ローラ、４８は搬送路４２の上部に配設され搬送路４２内を搬送されるカードに印字された印字データの消去を行う消去ヘッド、４９は搬送路４２の上部に配設され搬送路４２内を搬送されるカードに印字データの印字を行うサーマルヘッド、４８ａ，４９ａは消去ヘッド４８，サーマルヘッド４９下部に回転自在に軸支されたプラテンローラ、５０は消去ヘッド４８及びサーマルヘッド４９を支持するとともに消去ヘッド４８，サーマルヘッド４９をプラテンローラ４８ａ，４９ａに押圧付勢するヘッド支持体である。
【０００６】
カード挿入口４３より搬送路４２内へ挿入されたカードは、搬送ローラ４４ａ，４４ｂ，４４ｃの回転により、搬送路４２内を前方から後方へ搬送される。搬送路４２内を搬送されるカードの磁気記録層には磁気ヘッド４７により情報が磁気的に記録され、また、カードの磁気記録層に記録された磁気データは磁気ヘッド４７により再生される。搬送路４２内を搬送されるカードの感熱記録層にはサーマルヘッド４９により印字データが熱的に印字され、また、カードの感熱記録層に印字された印字データは消去ヘッド４８により消去される。
【０００７】
図６は内部にＩＣチップを具備するカードに対し情報の記録及び再生を行う従来のカードリーダの要部側面図である。
【０００８】
図６において、６０はＩＣリーダユニット、６１はＩＣリーダユニット６０のフレーム、６２はフレーム６１内に形設されたカード挿入溝、６３はフレーム６１の前側面に開口しカード挿入溝６２に連通するカード挿入口、６４はカード挿入溝６２の上部に配設されカード挿入溝６２に挿入されたカードのＩＣの電極端子と電気的に接続するＩＣ接触部、６５はＩＣ接触部６４の下面に突設されカード挿入溝６２に挿入されたカードのＩＣの電極端子と接触する接触端子である。
【０００９】
カード挿入口６３よりカード挿入溝６２内にカードが挿入されると、接触端子６５はカードの上面を摺動し、カードがカード挿入溝６２の最奥部まで挿入されたときに接触端子６５はカード上面のＩＣの電極端子と接触する。これにより、カードのＩＣに対し情報の記録又は再生が可能となる。
【００１０】
【発明が解決しようとする課題】
しかしながら、上記従来のカードリーダでは、以下のような課題を有していた。
【００１１】
（１）内部にＩＣチップを具備するカードに対し情報の記録及び再生を行うカードリーダでは、ＩＣ接触部６４がカード挿入溝６２の上部に固定されているため、カードのＩＣの接続端子が摩耗している場合、カードのＩＣの接続端子とＩＣ接触部６４の接触端子６５との接触が不良となり、カードのＩＣへの情報の記録又は再生の際にエラーが発生しやすくなる。
【００１２】
（２）内部にＩＣチップを具備するカードに対し情報の記録及び再生を行うカードリーダでは、ＩＣ接触部６４の接触端子６５がカード上面を掻擦し、カードに掻傷をつけ、カードの外観を見苦しくするとともに、カードのＩＣの接続端子にも掻傷がつき、カードのＩＣへの情報の記録又は再生の際にエラーが発生しやすくなる。
【００１３】
（３）カードの一部に磁気記録が可能な磁気記録層や加熱処理により印字データを印字／消去が可能なロイコ染料系の感熱記録層等を備えると共に、カード内部にＩＣチップを内設し外部からのデジタル又はアナログ信号によりＩＣチップ内に情報を記録／消去が可能なカードに情報の記録を行う際、カードの磁気記録層に対し磁気記録の記録及び再生を行う際、又は、カードの感熱記録層に対し印字データの印字及び消去を行う際には、図５に示したような磁気記録層又は感熱記録層を具備するカードに対し情報の記録及び再生を行うカードリーダを使用し、カードのＩＣに対し情報の記録及び再生を行う際には図６に示したような内部にＩＣチップを具備するカードに対し情報の記録及び再生を行うカードリーダを使用する必要があり、カードへの情報の記録及び再生を迅速に行うことができない。
【００１４】
（４）また、図５に示したような磁気記録層又は感熱記録層を具備するカードに対し情報の記録及び再生を行うカードリーダと図６に示したような内部にＩＣチップを具備するカードに対し情報の記録及び再生を行うカードリーダとを並べて置いて使用しなければならないため、広い設置スペースが必要となり、他の情報機器等との接続のための配線も複雑化し、利便性に欠ける。
【００１５】
本発明は上記従来の課題を解決するもので、カードのＩＣに対し情報の記録及び再生を行うための接続不良、接触端子によるカードの掻擦を防止することができ、カードに対する情報の記録及び再生を迅速に行うことが可能であり、コンパクトに構成することが可能なカードリーダを提供することを目的とする。
【００１６】
【課題を解決するための手段】
上記課題を解決するために本発明は、内部をカードが搬送されるカード搬送路と、搬送路に沿って配設され搬送路内のカードを搬送する搬送ローラと、搬送路内のカードにデータを記録及び／又は搬送路内のカードに記録されたデータを再生するデータ記録再生手段と、カードに印字データを記録する印字手段と、カードに記録された印字データを消去する画像消去手段と、搬送路に連設されカード内部のＩＣに対し情報の記録及び／又は再生を行うＩＣリーダユニットを備えたカードリーダであって、ＩＣリーダユニットは、カードが挿入されるカード挿入溝と、カードによる押圧を受け、逆方向に作用する弾性力に逆らいつつカード挿入溝に沿った方向に移動し、弾性力の作用のもと記録及び／又は再生のため所定位置で一旦停止すると共に、その後弾性力によって元に戻るスライダと、スライダに回動自在に配設され、カード表面でＩＣの電極端子と接触して情報の記録及び／又は再生を行うＩＣ接触部と、スライダの移動に伴いスライダのピンと昇降ガイドによってＩＣ接触部を回動し、カード表面に近づけるＩＣ接触部移動機構と、スライダに設けられた突起部と当接しスライダの動きを規制するカムを備え、カムには、スライダをカード挿入溝に沿った方向に移動させるための側面と、該スライダを記録及び／又は再生のため所定位置で一旦停止させるための凹溝部が設けられた構成より成る。
【００１７】
この構成により、カードのＩＣに対し情報の記録及び再生を行うための接続不良、接触端子によるカードの掻擦を防止することができ、カードに対する情報の記録及び再生を迅速に行うことが可能であり、コンパクトに構成することが可能なカードリーダを提供することができる。
【００１８】
【発明の実施の形態】
上記目的を達成するために、本発明の請求項１に記載のカードリーダは、内部をカードが搬送されるカード搬送路と、搬送路に沿って配設され搬送路内のカードを搬送する搬送ローラと、搬送路内のカードにデータを記録及び／又は搬送路内のカードに記録されたデータを再生するデータ記録再生手段と、カードに印字データを記録する印字手段と、カードに記録された印字データを消去する画像消去手段と、搬送路に連設されカード内部のＩＣに対し情報の記録及び／又は再生を行うＩＣリーダユニットを備えたカードリーダであって、ＩＣリーダユニットは、カードが挿入されるカード挿入溝と、カードによる押圧を受け、逆方向に作用する弾性力に逆らいつつカード挿入溝に沿った方向に移動し、弾性力の作用のもと記録及び／又は再生のため所定位置で一旦停止すると共に、その後弾性力によって元に戻るスライダと、スライダに回動自在に配設され、カード表面でＩＣの電極端子と接触して情報の記録及び／又は再生を行うＩＣ接触部と、スライダの移動に伴いスライダのピンと昇降ガイドによってＩＣ接触部を回動し、カード表面に近づけるＩＣ接触部移動機構と、スライダに設けられた突起部と当接しスライダの動きを規制するカムを備え、カムには、スライダをカード挿入溝に沿った方向に移動させるための側面と、該スライダを記録及び／又は再生のため所定位置で一旦停止させるための凹溝部が設けられた構成としたものである。
【００１９】
この構成により、以下のような作用が得られる。
【００２０】
（１）ＩＣリーダユニットを搬送路に連設し、カード搬送路内を搬送されるカードをこれら搬送ローラにより直接ＩＣリーダユニット内に抜脱可能としたことにより、カードリーダにより、カードでの磁気データの記録及び／又は再生、及び／又は印字データの印字及び／又は消去が可能となると同時に、カード内のＩＣ部への情報の記録及び再生が可能となる。従って、磁気カードリーダライタとＩＣリーダライタとの接続等が不要となり機器の設置・接続が容易となり、コンパクトに構成することが可能となり、カードを処理する時間が短縮される。
【００２１】
（２）データ記録再生手段と印字手段、画像消去手段、ＩＣリーダユニットを一体化することで、部品を削減することができ、製造に要する製品コストを低減することが可能となる。
【００２２】
（３）データ記録再生手段と印字手段、画像消去手段、ＩＣリーダユニットを一体化することで、これらの各装置を同一の電源を用いて駆動することができ、待機中の消費電力を半減することが可能となる。
【００２３】
ここで、データ記録再生手段としては、磁気ヘッド、光学ヘッド、ＩＣカードの表面に配設された電極と接触する少なくとも１つの電極等が使用される。
【００２４】
印字手段としては、サーマルヘッド、インクジェットヘッド等が好適に用いられる。カードの印字データを記録する部分がリライト層により構成されている場合にはデータ記録再生手段としてサーマルヘッドを使用し、カードの印字データを記録する部分が追記式のものにより構成されている場合には、データ記録再生手段としてサーマルヘッドやインクジェットヘッド等が使用される。
【００２５】
画像消去手段としては、発熱抵抗体（基板上に発熱体を設け、その発熱体を覆うようにガラスやシリカ等の保護膜を設けた構成のヒータ等）等が好適に用いられる。
【００２８】
（４）ＩＣ接触部移動機構がＩＣ接触部をカード表面に近づけて押圧するため、カードのＩＣの接続端子が摩耗している場合でも確実にＩＣ接触部をカードのＩＣの接続端子に接触させることができ、カードのＩＣに対し情報の記録及び再生を行うための接触端子における接続不良が防止される。
【００２９】
（５）接触端子はカード上を摺動することなく、カードのＩＣの電極端子のみと接触するため、カードのＩＣに対し情報の記録及び再生を行うための接触端子によるカードの掻擦を防止される。なお、非接触で情報の記録及び／又は再生を行うこともできる。
【００３０】
（６）ＩＣ接触部を回動自在に配設し、ＩＣ接触部がスライダと連動してカードのＩＣの電極端子と接触するため、ＩＣ接触部移動機構を安価で簡単に製造することができる。ここで、ＩＣ接触部移動機構としては、ＩＣ接触部をカード挿入溝から退避させる方向に回動付勢するスプリングとスライダの移動に伴いＩＣ接触部をカード挿入溝の方向にガイドする摺動部とで構成されるＩＣ接触部移動機構等が使用される。
【００３１】
（７）スライダに設けられた突起部と当接しスライダの動きを規制するカムを備え、カムには、スライダをカード挿入溝に沿って移動させるための側面と、該スライダを記録及び／又は再生のため所定位置で一旦停止させるための凹溝部が設けられたことにより、スライダの突起部がカムの側面と凹溝部に沿って動き、スライダの動きを規制することができる。また、ＩＣの電極端子とＩＣ接触部が接触して、データの読み出し・書き込みを行う際のスライダの位置がカムにより規制され、位置規制用のセンサ等の電気部品が不要となるという作用が得られる。
【００３２】
請求項２に記載の発明は、請求項１記載のカードリーダにおいて、スライダに回動自在に配設され、カード表面でＩＣの電極端子と接触して情報の記録及び／又は再生を行うＩＣ接触部を備えるのに代えて、スライダに回動自在に配設されると共に、コイル状のアンテナを搭載し、該アンテナとカード内のアンテナとの間で無線により情報の記録及び／又は再生を行うＩＣ接触部を備えた構成としたものである。
【００３３】
この構成により、非接触で情報の記録及び／又は再生を行うことができる。
【００３４】
以下に本発明の一実施の形態について、図面を参照しながら説明する。
【００３５】
（実施の形態１）
図１は本発明の実施の形態１におけるカードリーダの要部側面図である。
【００３６】
図１において、１はカードリーダ、２はカードリーダ１のフレーム、３はフレーム２の前側面に形設されたカード挿入口、４はフレーム２内部に前部から後部に渡り形設され前端部がカード挿入口３に連通するカード搬送路、５はカード搬送路４の上下に配設されカード搬送路４内を搬送されるカードをガイドするガイダー、６ａ，６ｂ，６ｃはフレーム２内のカード搬送路４下部に配設されカード搬送路４内に挿入されたカードの下面に接触しカードを搬送する搬送ローラ、７ａ，７ｂ，７ｃはフレーム２内のカード搬送路４上部に配設され各々搬送ローラ６ａ，６ｂ，６ｃに当接する従動ローラ、８は搬送ローラ６ａ，６ｂ，６ｃを回転駆動する動力を発生する駆動モータ、９はフレーム２内のカード搬送路４下部に配設されカード搬送路４内を搬送されるカードに磁場を与え磁気記録及び再生を行う磁気ヘッド、１０はフレーム２内のカード搬送路４の上部に配設されカード上面に印字を行う印字ヘッド、１１はフレーム２内のカード搬送路４の上部に配設されカード上面に印字された印字データを消去する消去ヘッド、１２はフレーム２の後部のカード搬送路４後端に配設されたＩＣリーダユニットである。
【００３７】
搬送ローラ６ａ，６ｂ，６ｃは、ギアやベルト等の回転動力伝達手段を介して、駆動モータ８の回転動力により駆動される。
【００３８】
図２は図１のＩＣリーダユニットの要部断面図であり、図３（ａ）はＩＣリーダユニットに挿入されたカードがカードストッパに当接した状態を表す図であり、図３（ｂ）はＩＣリーダユニットに挿入されたカードがスライダを押している状態を表す図であり、図３（ｃ）はスライダが再奥部にきた状態を表す図であり、図４（ａ）はＩＣリーダユニットに挿入されたカード上面にＩＣ接触部の接触端子が接触した状態を表す図であり、図４（ｂ）は再度スライダが再奥部にきた状態を表す図であり、図４（ｃ）はＩＣリーダユニットに挿入されたカードの抜脱時の状態を表す図である。
【００３９】
図２乃至図４において、１２はＩＣリーダユニット、１３はＩＣリーダユニット１２のケーシング、１４はカード搬送路、１５はケーシング１３の前側面に開口しカード搬送路１４に連通するカード挿入口、１６はケーシング１３内部に摺動自在に配設されたスライダ、１９はスライダ１６の前部上面に穿設された電極部移動口、２０はスライダ１６の後部上面に突設された上部突起部、２１は上部突起部２０に回動自在に軸支された回動部、２１ａは回動部２１を上部突起部２０に軸支する回動軸、２１ｂは回動部２１に設けられたガイドピン、２１ｃは回動部２１を昇降させるためのガイド、２２は回動部２１の下面に突設され電極部移動口１９に挿抜自在に配設されたＩＣ接触部、２３はＩＣ接触部２２の下面に突設されカード搬送路１４内に送入されるカードのＩＣの接触端子に接触する接触端子、２４はスライダ１６の後部に垂直に配設され搬送路１４内に送入されるカードの先端部に接触するカードストッパ、２５はスライダ１６の下面に突設された下部突起部、２６はケーシング１３の下面に回動自在に軸支されスライダ１６の動きを規制するカム、２６ａはカム２６の回動軸、２６ｂはカム２６の下面に凹溝状に形設された溝部、３０はカードである。
【００４０】
なお、スライダ１６はスプリング（図示せず）により前方（カード挿入口１５の方向）に付勢されている。
【００４１】
カードがＩＣリーダユニットに送入され、スライダ１６のカードストッパ２４にカードが当たり、さらにカードが中に押されると、カードに付随してスライダ１６がケーシング１３の中を摺動する。ここで、スライダ１６が中へ摺動されることにより、回動部２１が同様に後部に移動することにより、回動部２１のガイドピン２１ｂが昇降ガイド２１ｃの中をカードの方向へ降りながら移動し、回動部２１の回動軸２１ａを軸にして回動部２１がカードの方向へ近づき、接触端子２３がカードのＩＣ端子部に接触する。さらに、スライダ１６の摺動する位置を規制するために、スライダ１６の下部突起部２５がカム２６の凹溝部２６ｂの中に沿って動くＩＣ接触部移動機構が構成されている。
【００４２】
以上のように構成された本実施の形態１のカードリーダについて、以下その動作を説明する。
【００４３】
カード挿入口３よりカード搬送路４内へカード３０が挿入されると、センサー等（図示せず）によりカード３０が挿入されたことを検出し、駆動モータ８を起動し搬送ローラ６ａ，６ｂ，６ｃの回転によりカード３０を搬送ローラ６ａと従動ローラ７ａ，搬送ローラ６ｂと従動ローラ７ｂ，搬送ローラ６ｃと従動ローラ７ｃとに挟持した状態でカード搬送路４に沿って搬送する。このとき、カード３０が磁気記録が可能なカードであれば、磁気ヘッド９によりカード３０に記録された磁気データの記録又は再生が行われる。また、カード３０が印字データの印字や消去が可能なカードであれば、印字ヘッド１０による印字データの印字又は消去ヘッド１１による印字データの消去が行われる。
【００４４】
この磁気データの記録並びに再生及び印字データの印字並びに消去の動作については、従来のカードリーダと同様であるため、説明は省略する。
【００４５】
カード３０がＩＣカードである場合、カード３０は搬送ローラ６ｃによりカード搬送路４内を後方へ搬送され、カード挿入口１５よりカード搬送路１４内へ挿入される。
【００４６】
カード３０がカード搬送路１４に挿入されると、図３（ａ）に示したように、まず、カード３０のカード先端がカードストッパ２４に接触する。
【００４７】
更に、搬送ローラ６ｃによりカード３０が後方へ搬送されると、カード３０の先端はカードストッパ２４を押圧し、それによりスライダ１６はスプリング（図示せず）の弾性力に逆らってケーシング１３の後方に摺動する（図３（ｂ），（ｃ），図４（ａ）参照）。スライダ１６が後方に移動すると、回動部２１は、ガイドピン２１ｂが昇降ガイド２１ｃの中を移動することにより下方に向かって回動する。これにより、ＩＣ接触部２２は電極部移動口１９を通りその下面がカード搬送路１４の上方からカード搬送路１４内に突出し、接触端子２３がカード３０内のＩＣの電極端子に接触し、カード３０内のＩＣとＩＣリーダユニット１２とが電気的に接続され、図４（ａ）のときにカード３０内のＩＣへの記録及び消去が行われる。
【００４８】
このとき、下部突起部２５はカム２６の前側面に接触し、カム２６を押圧する。これにより、カム２６は、図３（ｂ）のように、突起部２５がカム２６を回動しながらカム２６の外側をピンが動く。
【００４９】
次に、図３（ｃ）の位置までスライダ１６が移動すると、カム２６が回動し突起部２５がカム２６の凹溝部２６ｂに入り、スライダ１６がスプリングの弾性力によって戻されると、図４（ａ）のように、カム２６が回動し、ピンがカム２６の凹溝部２６ｂの位置でロックされ停止する。このとき、カード３０内のＩＣへの記録及び消去が行われる。
【００５０】
更に、図４（ｂ）のように、再度カード３０をスプリングの弾性力に逆らってケーシングの最後方位置までスライダ１６が移動することにより、突起部２５が、カム２６の凹溝部２６ｂのロックを解除し、同時に、カム２６が回動する。
【００５１】
次に、図４（ｃ）のように、スライダ１６がスプリングの弾性力により、戻されると同時に、突起部２５がカム２６の凹溝部２６ｂを抜ける方向に動き、カード３０はカード搬送路より抜脱する。
【００５２】
以上のように、本実施の形態によれば、ＩＣリーダユニット１２をカードリーダ１の後端部に具備し、搬送ローラ６ａ，６ｂ，６ｃによりカード搬送路４内を搬送されるカードをこれら搬送機構により直接ＩＣリーダユニット１２内に抜脱可能としたことにより、カードリーダ１により、カードでの磁気データの記録並びに再生、及び印字データの印字及び消去が可能となると同時に、カード内のＩＣ部への情報の記録及び再生が可能となる。従って、磁気カードリーダライタとＩＣリーダライタとの接続等が不要となり、簡単に機器の設置を行うことが可能となり、カードを処理する時間が短縮され、カードを使用する人に対し待ち時間を短くすることができる。
【００５３】
また、接触端子２３はカード３０上を摺動することなく、カード３０のＩＣの電極端子のみと接触するため、接触端子２３がカード３０上を掻擦することが防止される。
【００５４】
また、接触端子２３がカード３０上のＩＣの電極端子と常に決められた所定の位置で接触するため、カード３０内のＩＣでの記録及び再生時のエラーが防止される。
【００５５】
また、ＩＣ接触部２２とカム２６とをカード搬送路１４の上下に対向して配設したため、ＩＣリーダユニット１２をコンパクトに構成することが可能となり、簡単で安価な機構によりＩＣリーダユニット１２を構成することができる。
【００５６】
尚、本実施の形態１においては、ＩＣリーダユニット１２は接触式としたが、ＩＣリーダユニット１２は接触式のものに限られるものではなく、別の形態として非接触式のものであってもよい。例えば、カード３０が非接触式のＩＣカード（カード３０内部に搭載されたＩＣとカード３０の内部に搭載されたＩＣと無線でデータの授受を行うアンテナ（コイルやコンデンサ）を備えた構成を具備するカード）により構成されている場合には、ＩＣ接触部２２にはコイル状のアンテナや静電容量を発生させる部品を備えカード３０と非接触で無線通信可能な構成が使用される。
【００５７】
【発明の効果】
以上のように本発明のカードリーダによれば、以下のような有利な効果を得ることができる。
【００５８】
請求項１に記載のカードリーダによれば、
（１）磁気カードリーダライタとＩＣリーダライタとの接続等が不要となり機器の設置・接続が容易で、コンパクトに構成することが可能で、カードを処理する時間が短いカードリーダを提供することができる。
【００５９】
（２）データ記録再生手段と印字手段、画像消去手段、ＩＣリーダユニットを一体化することで、部品を削減することができ、製造に要する製品コストを低減することが可能なカードリーダを提供することができる。
【００６０】
（３）データ記録再生手段と印字手段、画像消去手段、ＩＣリーダユニットを一体化することで、これらの各装置を同一の電源を用いて駆動することができ、待機中の消費電力を半減することが可能なカードリーダを提供することができる。
【００６１】
（４）ＩＣ接触部移動機構がＩＣ接触部をカード表面に近づけて押圧するため、カードのＩＣの接続端子が摩耗している場合でも確実にＩＣ接触部をカードのＩＣの接続端子に接触させることができ、カードのＩＣに対し情報の記録及び再生を行うための接触端子における接続不良を防止することのできるカードリーダを提供することができる。
【００６２】
（５）接触端子はカード上を摺動することなく、カードのＩＣの電極端子のみと接触するため、カードのＩＣに対し情報の記録及び再生を行うための接触端子によるカードの掻擦を防止することのできるカードリーダを提供することができる。なお、非接触で情報の記録及び／又は再生を行うこともできる。
【００６３】
（６）ＩＣ接触部を回動自在に配設し、ＩＣ接触部がスライダと連動してカードのＩＣの電極端子と接触するため、安価でしかも簡単に製造することが可能となり、生産性に優れたカードリーダを提供することができる。
【００６４】
（７）スライダに設けられた突起部と当接しスライダの動きを規制するカムを備え、カムには、スライダをカード挿入溝に沿って移動させるための側面と、該スライダを記録及び／又は再生のため所定位置で一旦停止させるための凹溝部が設けられたことにより、スライダの突起部がカムの側面と凹溝部に沿って動き、スライダの動きを規制し、これにより、ＩＣの電極端子とＩＣ接触部が接触し、データの読み出し・書き込みを行う際のスライダの位置がカムにより規制され、位置規制用のセンサ等の電機部品が不要となる。
【図面の簡単な説明】
【図１】本発明の実施の形態１におけるカードリーダの要部側面図
【図２】図１のＩＣリーダユニットの要部断面図
【図３】（ａ）ＩＣリーダユニットに挿入されたカードがカードストッパに当接した状態を表す図
（ｂ）ＩＣリーダユニットに挿入されたカードがスライダを押している状態を表す図
（ｃ）スライダが再奥部にきた状態を表す図
【図４】（ａ）ＩＣリーダユニットに挿入されたカード上面にＩＣ接触部の接触端子が接触した状態を表す図
（ｂ）再度スライダが再奥部にきた状態を表す図
（ｃ）ＩＣリーダユニットに挿入されたカードの抜脱時の状態を表す図
【図５】磁気記録層又は感熱記録層を具備するカードに対し情報の記録及び再生を行う従来のカードリーダの要部側面図
【図６】内部にＩＣチップを具備するカードに対し情報の記録及び再生を行う従来のカードリーダの要部側面図
【符号の説明】
１  カードリーダ
２  フレーム
３  カード挿入口
４  カード搬送路
５  ガイダー
６ａ，６ｂ，６ｃ  搬送ローラ
７ａ，７ｂ，７ｃ  従動ローラ
８  駆動モータ
９  磁気ヘッド
１０  印字ヘッド
１１  消去ヘッド
１２  ＩＣリーダユニット
１３  ケーシング
１４  カード搬送路
１５  カード挿入口
１６  スライダ
１９  電極部移動口
２０  上部突起部
２１  回動部
２１ａ  回動軸
２１ｂ  ガイドピン
２１ｃ  昇降ガイド
２２  ＩＣ接触部
２３  接触端子
２４  カードストッパ
２５  下部突起部
２６  カム
２６ａ  回動軸
２６ｂ  凹溝部
３０  カード
４０  カードリーダ
４１  フレーム
４２  搬送路
４２ａ  ガイダー
４３  カード挿入口
４４ａ，４４ｂ，４４ｃ  搬送ローラ
４５ａ，４５ｂ，４５ｃ  従動ローラ
４６  駆動モータ
４７  磁気ヘッド
４７ａ  押圧ローラ
４８  消去ヘッド
４９  サーマルヘッド
４８ａ，４９ａ  プラテンローラ
５０  ヘッド支持体
６０  ＩＣリーダユニット
６１  フレーム
６２  カード挿入溝
６３  カード挿入口
６４  ＩＣ接触部
６５  接触端子
【図１】
0003744269.tif 000002
【図２】
0003744269.tif 000003
【図３】
0003744269.tif 000004
【図４】
0003744269.tif 000005
【図５】
0003744269.tif 000006
【図６】
0003744269.tif 000007